(57)【要約】      （修正有）【課題】施工および保守点検が容易で、外観品質も保証でき、データメモリ部を搭載の有無も視覚的に判別できる歩道舗装用ブロックを提供する。【解決手段】表面に突起部を有する着色コンクリート層１１とその着色コンクリート層１１に親和力で接合する裏部コンクリート層１２とを備える視覚障害者誘導用ブロック１０を含む歩道舗装用ブロックにおいて、裏部コンクリート層１２は、ＩＣタグおよび環状アンテナ２０を装着する装着孔１３を有し、装着孔１３の平面形状はＩＣタグおよび環状アンテナ２０の平面形状とほぼ同一であり、その装着孔１３の深さはＩＣタグおよび環状アンテナ２０の厚みとほぼ同一であることを特徴とする。【選択図】図４
0003110989.tif 000002
【実用新案登録請求の範囲】
【請求項１】
ブロック成型体の裏部コンクリート層にＩＣタグおよび環状アンテナを装着する装着孔を有し、
前記装着孔の平面形状は前記ＩＣタグおよび環状アンテナの平面形状とほぼ同一であり、その装着孔の深さは前記ＩＣタグおよび環状アンテナの厚みとほぼ同一であることを特徴とする歩道舗装用ブロック。
【請求項２】
前記ブロック成型体は、その表面に突起部を有する着色コンクリート層を備え、
前記裏部コンクリート層は、その着色コンクリート層に親和力で接合していることを特徴とする請求項１に記載の歩道舗装用ブロック。
【請求項３】
前記環状アンテナは、ＩＣタグの両端を接続する角形あるいは円形等に形成されており、前記装着孔の平面形状は、前記ＩＣタグおよび環状アンテナの平面形状とほぼ同一であることを特徴とする請求項１または２に記載の歩道舗装用ブロック。
【考案の詳細な説明】
【技術分野】
【０００１】
本考案は、屋外の歩道や階段等に敷き詰められる歩道舗装用ブロックに関するものであり、特に、ブロック成型体にＩＣタグおよび環状アンテナを組み込み、視覚障害者が使用する白杖等に備えたリーダ／ライタ機器との非接触通信によって視覚障害者に所定の情報を通知する歩道舗装用ブロックに関するものである。
【背景技術】
【０００２】
視覚障害者が屋外等にて歩行する際、横断歩道や駅の階段、施設の出入口には、視覚障害者に、その位置を知らしめるために、視覚障害者誘導用ブロックが歩道舗装用ブロックに含まれて敷設されている。
【０００３】
この視覚障害者誘導用ブロックはブロック成型体の表面に多数の突起部を持ったものからなり、視覚障害者が、その突起部を足先で触れることにより認識でき、誘導できる。
【０００４】
従来この視覚障害者誘導用ブロックは、単に横断歩道や階段の手前に敷設されて位置を認識するものであったが、特開平４−３２８９１号公報に示されるように、視覚障害者誘導用ブロック内にデータメモリ部を埋設し、視覚障害者が、歩行の際に利用する白杖に、そのデータメモリ部に記憶された情報と通信するリーダ／ライタ機器を設けておき、そのリーダ／ライタ機器でデータメモリ部と通信し、そのデータメモリ部内蔵の視覚障害者誘導用ブロックから「ここから横断歩道である」、「ここから上り階段或いは下り階段がある」、「ここが施設の出入口である」といった情報を、リーダ／ライタ機器に接続されたイヤホーンなどで音声情報として受け取ることで、視覚障害者誘導用ブロックの機能性を高め、視覚障害者により正確な情報を伝達できるようにすることが試みられるようになってきている。
【０００５】
このデータメモリ部は、アンテナコイルと電子部品を、例えば特開平１０−１４６８６３号公報に示されるような成形方法で、外層樹脂材で封止して形成され、リーダ／ライタ機器が設けられた白杖から無線による呼出信号でデータメモリ部が情報を白杖に無線で送信し、リーダ／ライタ機器がこの情報を基に音声信号に変換してイヤホーン等で、視覚障害者に「ここから横断歩道である」と出力するようになっている。
【特許文献１】特開平４−３２８９１号公報
【特許文献２】特開平１０−１４６８６３号公報
【考案の開示】
【考案が解決しようとする課題】
【０００６】
ところで、従来の視覚障害者誘導用ブロックは、ブロック成型体のコンクリート内部にデータメモリ部を埋設するか、ブロック成型体が表面に突起部を有する着色コンクリート層とその着色コンクリート層に親和力で接合する裏部コンクリート層とにより構成されている場合は、二層間にデータメモリ部を挟み込むなどして成形していた。
【０００７】
しかし、データメモリ部をコンクリート内部に埋め込み、あるいは挟み込んで視覚障害者誘導用ブロックを成形すると、データメモリ部を取り出して保守点検、あるいは交換することができないといった問題がある。
【０００８】
また、硬化前のコンクリートにデータメモリ部を埋め込んだり挟み込むと、コンクリート同士の接触がデータメモリ部で阻害されて、成形体のコンクリート硬化状態が粗悪となり、歩道舗装用ブロックとしての強度低下、外観不良という問題が生じる。
【０００９】
更に、白杖側のリーダ機能の向上により、敷設する視覚障害者誘導用ブロックの全てにデータメモリ部を搭載する必要はなくなってきており、従来のように埋め込んだり挟み込むと、設置作業や保守点検作業の際に、どの視覚障害者誘導用ブロックがデータメモリ部を搭載したものなのか外観上、判別できないといった問題も生じる。
【００１０】
そこで、本考案は、前記課題に鑑みてなされたものであり、その目的は保守点検が容易で、外観品質も保証でき、データメモリ部を搭載の有無も視覚的に判別できる歩道舗装用ブロックを提供することにある。
【課題を解決するための手段】
【００１１】
本考案は、前記目的を達成するために、以下の手段を採用した。
すなわち、本考案の歩道舗装用ブロックは、ブロック成型体の裏部コンクリート層にＩＣタグおよび環状アンテナを装着する装着孔を有し、前記装着孔の平面形状は前記ＩＣタグおよび環状アンテナの平面形状とほぼ同一であり、その装着孔の深さは前記ＩＣタグおよび環状アンテナの厚みとほぼ同一であることを特徴とする。
【００１２】
また、本考案の歩道舗装用ブロックにおいて、前記ブロック成型体は、その表面に突起部を有する着色コンクリート層を備え、前記裏部コンクリート層は、その着色コンクリート層に親和力で接合していることを特徴とする。
更に、本考案の歩道舗装用ブロックにおいて、前記環状アンテナは、ＩＣタグの両端を接続する角形あるいは円形等に形成されており、前記装着孔の平面形状は、前記ＩＣタグおよび環状アンテナの平面形状とほぼ同一であることを特徴とする。
【考案の効果】
【００１３】
上記の構成によれば、ＩＣタグおよび環状アンテナを装着する装着孔を歩道舗装用ブロック成形時に予め設けておき、歩道舗装用ブロック敷設時に、ＩＣタグおよび環状アンテナを搭載する歩道舗装用ブロックに対してＩＣタグおよび環状アンテナを装着孔に挿入して敷設する。このように、ＩＣタグおよび環状アンテナの搭載が、歩道舗装用ブロック底面の装着孔に挿入するだけであり、歩道舗装用ブロック底面からＩＣタグおよび環状アンテナが目視できるだけでなく、ＩＣタグおよび環状アンテナの交換もでき、保守点検が容易である。また、歩道舗装用ブロック成形時にＩＣタグおよび環状アンテナを装着する装着孔を穿設するだけであり、ＩＣタグおよび環状アンテナを埋設する従来の視覚障害者誘導用ブロックに比して、歩道舗装用ブロックとしての強度低下、外観不良は生じない。
【考案を実施するための最良の形態】
【００１４】
以下、本考案の好適実施の形態を添付図面に基づいて詳述する。
【００１５】
先ず、図１は、本考案の歩道舗装用ブロック１０の一形態である視覚障害者誘導用ブロックを示したものである。
【００１６】
視覚障害者誘導用ブロック１０は、図１に示すように、ブロック成型体の表面となる着色コンクリート層１１上部には、凸形状の突起部が多数形成され、ブロック成型体の裏面には、裏部コンクリート層１２が成形されている。裏部コンクリート層１２は、着色コンクリート層１１に親和力で接合している。
【００１７】
図２は、本考案の視覚障害者誘導用ブロック１０を裏面より見た斜視図である。
裏部コンクリート層１２には、図２に示すように、ＩＣタグおよび環状アンテナ２０（図３参照）を装着する装着孔１３が形成されている。
【００１８】
ＩＣタグおよび環状アンテナ２０は、図３に示すように、ＩＣタグ２０ａとこのＩＣタグ２０ａの両端を接続する環状アンテナ２０ｂから構成され、環状アンテナ２０ｂは、この実施の形態では角形に形成されている。
【００１９】
このＩＣタグ２０ａは、基本コードが128ビット長で、必要に応じて128ビット単位で拡張し、256ビット、384ビット、512ビットとすることができる。また、ＩＣタグは、既存の各種ＩＤ コードを吸収できるメタコード体系になっている。更に、ＩＣタグは、ＲＦＩＤ形式のものであり、小型ＩＣタグ２０ａの中にＩＤをはじめとして、各種データを格納できる不揮発性メモリが備えてある。このＩＣタグ２０ａは、バッテリーを有しておらず、外部より電波を当てると、その電波の電力で駆動し、そのタグと非接触通信することができる。これによって、メモリ内のデータを読み書きできるようになっている。
【００２０】
このＩＣタグ２０ａは、リーダ／ライタ機器が設けられた白杖（図示せず）から無線による呼出信号を受信すると、ＩＣタグ２０ａが情報を白杖に無線で送信し、白杖側のリーダ／ライタ機器がこの情報を基に音声信号に変換してイヤホーン等で、視覚障害者に「ここから横断歩道である」と音声出力するようになっている。
【００２１】
視覚障害者誘導用ブロック１０の装着孔１３は、その平面形状が、図２に示すように、ＩＣタグおよび環状アンテナ２０の平面形状とほぼ同一に形成され、その装着孔１３の深さはＩＣタグおよび環状アンテナ２０の厚みとほぼ同一に形成されている。なお、この装着孔１３を含む視覚障害者誘導用ブロック１０は、成形型枠に、コンクリートを流し込み形成する。
【００２２】
図４は、視覚障害者誘導用ブロック１０の装着孔１３にＩＣタグおよび環状アンテナ２０を装着した状態を示す図である。
図４に示すように、ＩＣタグおよび環状アンテナ２０を装着する装着孔１３を視覚障害者誘導用ブロック１０成形時に予め設けておき、視覚障害者誘導用ブロック１０敷設時に、ＩＣタグおよび環状アンテナ２０を搭載する視覚障害者誘導用ブロック１０に対してＩＣタグおよび環状アンテナ２０を装着孔１３に挿入して敷設する。
【００２３】
この実施の形態によれば、ＩＣタグおよび環状アンテナ２０の搭載が、視覚障害者誘導用ブロック１０底面の装着孔１３に挿入するだけであり、視覚障害者誘導用ブロック１０底面からＩＣタグおよび環状アンテナ２０が目視できるだけでなく、ＩＣタグおよび環状アンテナ２０の交換もでき、保守点検が容易である。
【００２４】
また、視覚障害者誘導用ブロック１０成形時にＩＣタグおよび環状アンテナ２０を装着する装着孔を穿設するだけであり、ＩＣタグおよび環状アンテナ２０を埋設する従来の視覚障害者誘導用ブロックに比して、歩道舗装用ブロックとしての強度低下、外観不良は生じない。
【００２５】
上述の実施の形態では、環状アンテナ２０ｂが角形のもので説明したが、環状アンテナ２０ｂは角形のものに限定されるものではなく、円形等のものでもよい。
【００２６】
図５は、環状アンテナ部が円形のものの場合の視覚障害者誘導用ブロックを示す。
ＩＣタグおよび環状アンテナ２０Ｂは、図５に示すように、ＩＣタグの両端を接続する環状アンテナが円形に形成されている。そして、装着孔１３Ｂの平面形状は、ＩＣタグおよび環状アンテナ２０Ｂの平面形状とほぼ同一に形成されている。
【００２７】
上述の実施の形態では、ブロック成型体の表面に突起部が多数形成された視覚障害者誘導用ブロックの場合を説明したが、本考案には、突起部が多数形成されたものに限定され
るものではなく、ブロック成型体の表面に突起部が形成されていない形態のものも含まれる。また、本考案は、上述の着色コンクリート層と裏部コンクリート層との２層構造の歩道舗装用ブロックに限定されるものではなく、ブロック成型体の裏部コンクリート層にＩＣタグおよび環状アンテナを装着する装着孔を有する形態の歩道舗装用ブロックは、請求項の記載の範囲内であれば本考案に含まれる。
【図面の簡単な説明】
【００２８】
【図１】本考案に係る歩道舗装用ブロックの一実施の形態を示す視覚障害者誘導用ブロックの斜視図である。
【図２】図１の視覚障害者誘導用ブロックを裏面より見た斜視図である。
【図３】ＩＣタグおよび環状アンテナの外形図である。
【図４】視覚障害者誘導用ブロックの装着孔にＩＣタグおよび環状アンテナを装着した状態を示す図である。
【図５】本考案の別の実施の形態を示す図であり、環状アンテナ部が円形のものの場合の視覚障害者誘導用ブロックを示す。
【符号の説明】
【００２９】
１０  歩道舗装用ブロック（視覚障害者誘導用ブロック）
１１  着色コンクリート層
１２  裏部コンクリート層
１３  装着孔
２０  ＩＣタグおよび環状アンテナ
２０ａ  ＩＣタグ
２０ｂ  環状アンテナ
【図１】
0003110989.tif 000003
【図２】
0003110989.tif 000004
【図３】
0003110989.tif 000005
【図４】
0003110989.tif 000006
【図５】
0003110989.tif 000007